【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
外部装置と通信可能な通信手段と、
画像を表示する表示手段と、
ユーザ操作を受け付ける操作手段と、
画像の表示中に、第１の操作部材と第２の操作部材を同時に押下する第１の操作が行われたことに応じて、前記表示中の画像を前記外部装置に転送する転送対象画像として指定する指定手段と、
前記転送対象画像の表示中に前記第１の操作を所定の時間以上継続して行う第２の操作が行われたことに応じて、前記表示中の画像を前記転送対象画像よりも優先的に転送する優先転送対象に設定する制御手段と、を有することを特徴とする通信装置。
【請求項２】
前記制御手段は、前記第１の操作が行われてから所定の時間以内に再び前記第１の操作が行われたことに応じて、表示中の画像の転送対象の指定または優先転送対象の設定を解除することを特徴とする請求項１に記載の通信装置。
【請求項３】
外部装置と通信可能な通信手段と、
画像を撮像する撮像手段と、
画像を表示する表示手段と、
ユーザ操作を受け付ける操作手段と、
画像の表示中に、第１の操作部材と第２の操作部材を同時に押下する第１の操作が行われたことに応じて、前記表示中の画像を前記外部装置に転送する転送対象画像として指定する指定手段と、
前記第１の操作部材が操作されている状態で前記撮像手段により撮像された画像を記録する撮影処理の開始が指示されたことに応じて、前記撮影処理により記録された画像を前記転送対象画像よりも優先的に転送する優先転送対象に設定する制御手段と、を有することを特徴とする通信装置。
【請求項４】
前記第１の操作部材は、前記撮影処理の開始を指示する操作部材とは異なる操作部材であることを特徴とする請求項３に記載の通信装置。
【請求項５】
前記制御手段は、前記表示されている画像を優先転送対象に設定した後、前記第１の操作が行われたことに応じて、当該表示されている画像の優先転送対象の設定を解除することを特徴とする請求項３または４に記載の通信装置。
【請求項６】
前記表示手段は、前記撮影処理の直後の画像を表示し、
前記制御手段は、前記撮影処理の直後の画像を表示中に前記第１の操作が行われたことに応じて、前記表示中の画像を優先転送対象に設定することを特徴とする請求項３から５のいずれか１項に記載の通信装置。
【請求項７】
前記表示手段は、前記転送対象画像に重畳して転送対象画像に指定されていることを示す第１の指標を表示することを特徴とする請求項１から６のいずれか１項に記載の通信装置。
【請求項８】
前記表示手段は、前記優先転送対象の画像に重畳して優先転送対象に設定されていることを示す第２の指標を表示することを特徴とする請求項７に記載の通信装置。
【請求項９】
前記第１の指標および前記第２の指標は、画像が転送待ちである状態を示す第３の指標と、転送中であることを示す第４の指標と、転送完了を示す第５の指標と、を含むことを特徴とする請求項８に記載の通信装置。
【請求項１０】
前記制御手段は、前記転送対象画像および前記優先転送対象の画像を管理する転送管理リストを有し、
前記転送管理リストに登録された順序で転送対象画像を転送することを特徴とする請求項１から９のいずれか１項に記載の通信装置。
【請求項１１】
前記制御手段は、前記優先転送対象の画像が前記転送管理リストに既に存在する転送対象画像よりも優先的に転送されるように前記転送管理リストを更新することを特徴とする請求項１０に記載の通信装置。
【請求項１２】
前記転送管理リストは、前記転送対象画像の画像関連情報と、当該転送対象画像の転送状態を示す情報を含み、
前記転送状態は、前記転送対象画像および前記優先転送対象の画像の転送待ち、転送中、転送完了を含むことを特徴とする請求項１１に記載の通信装置。
【請求項１３】
前記制御手段は、前記転送対象画像および前記優先転送対象の画像の転送が完了すると、当該画像の画像関連情報を前記転送管理リストから削除することを特徴とする請求項１２に記載の通信装置。
【請求項１４】
前記表示手段は、記録手段に記録された画像を再生する再生手段であることを特徴とする請求項１から１３のいずれか１項に記載の通信装置。
【請求項１５】
前記指定手段は、前記撮像手段により撮像された画像が逐次表示されているときに、前記第１の操作が行われたことに応じて、前記表示されている画像を前記転送対象画像に指定し、
前記制御手段は、前記転送対象画像が逐次表示されているときに、前記第１の操作部材が操作されている状態で前記撮影処理の開始が指示されたことに応じて、前記撮影処理により記録された画像を前記優先転送対象に設定することを特徴とする請求項３から６のいずれか１項に記載の通信装置。
【請求項１６】
前記第１の操作部材と前記第２の操作部材は、ユーザの異なる手で操作可能な位置にある操作部材であることを特徴とする請求項１から１５のいずれか１項に記載の通信装置。
【請求項１７】
前記第１の操作部材と前記撮影処理の開始を指示する操作部材は、ユーザの異なる手で操作可能な位置にある操作部材であることを特徴とする請求項４に記載の通信装置。
【請求項１８】
前記制御手段は、前記撮影処理の開始を指示する操作部材が継続して操作され、前記撮影処理が連写撮影であるか判定し、
前記連写撮影中に前記第１の操作部材が操作されたことに応じて連写撮影されたすべての画像を優先転送対象に設定することを特徴とする請求項３から６のいずれか１項に記載の通信装置。
【請求項１９】
前記連写撮影された優先転送対象の画像の転送順序を設定する設定手段をさらに有することを特徴とする請求項１８に記載の通信装置。
【請求項２０】
前記制御手段は、前記連写撮影された画像が再生されている状態で前記第１の操作が所定の時間以上継続して行われたことに応じて、選択された画像を優先転送対象に設定することを特徴とする請求項１８に記載の通信装置。
【請求項２１】
外部装置と通信可能な通信手段と、
画像を表示する表示手段と、
ユーザ操作を受け付ける操作手段と、
画像の表示中に、第１の操作が行われたことに応じて、前記表示中の画像を前記外部装置に転送する転送対象画像として指定する指定手段と、
前記転送対象画像が未転送の状態であって、撮像により得られた画像の表示中に、前記第１の操作と異なる第２の操作が行われたことに応じて、前記表示中の画像を、未転送の状態である前記転送対象画像よりも優先的に転送する優先転送対象に設定する制御手段と、を有することを特徴とする通信装置。
【請求項２２】
前記表示手段は、前記転送対象画像に転送対象画像に指定されていることを示す第１の指標を重畳して表示し、前記優先転送対象の画像に優先転送対象に設定されていることを示す第２の指標を重畳して表示することを特徴とする請求項２１に記載の通信装置。
【請求項２３】
前記第２の操作は、前記第１の操作よりも簡単な操作であることを特徴とする請求項２１または２２に記載の通信装置。
【請求項２４】
前記第１の操作は複数の操作部材を用いた操作であり、前記第２の操作は単一の操作部材を用いた操作であることを特徴とする請求項２１から２３のいずれか１項に記載の通信装置。
【請求項２５】
外部装置と通信可能な通信手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段とを有する通信装置の制御方法であって、
前記転送対象画像の表示中に前記第１の操作を所定の時間以上継続して行う第２の操作が行われたことに応じて、前記表示中の画像を前記転送対象画像よりも優先的に転送する優先転送対象に設定するステップを有することを特徴とする制御方法。
【請求項２６】
外部装置と通信可能な通信手段と、画像を撮像する撮像手段と、画像を表示する表示手段と、ユーザ操作を受け付ける操作手段と、画像の表示中に、第１の操作部材と第２の操作部材を同時に押下する第１の操作が行われたことに応じて、前記表示中の画像を前記外部装置に転送する転送対象画像として指定する指定手段とを有する通信装置の制御方法であって、
前記第１の操作部材が操作されている状態で前記撮像手段により撮像された画像を記録する撮影処理の開始が指示されたことに応じて、前記撮影処理により記録された画像を前記転送対象画像よりも優先的に転送する優先転送対象に設定するステップを有することを特徴とする制御方法。
【請求項２７】
外部装置と通信可能な通信手段と、画像を表示する表示手段と、ユーザ操作を受け付ける操作手段と、画像の表示中に、第１の操作が行われたことに応じて、前記表示中の画像を前記外部装置に転送する転送対象画像として指定する指定手段と、を有する通信装置の制御方法であって、
前記転送対象画像が未転送の状態であって、撮像により得られた画像の表示中に、前記第１の操作と異なる第２の操作が行われたことに応じて、前記表示中の画像を、未転送の状態である前記転送対象画像よりも優先的に転送する優先転送対象に設定するステップを有することを特徴とする制御方法。
【手続補正２】
【補正対象書類名】明細書
【補正対象項目名】発明の名称
【補正方法】変更
【補正の内容】
【発明の名称】通信装置およびその制御方法